(57)【要約】  【課題】  上部スラット群と下部スラット群とが異なるスラット角度をとることができ、それぞれが確実に所望のスラット角度をとることができるブラインドとする。  【解決手段】  多数のスラット列が上部スラット群２４と下部スラット群２６とから構成され、ラダーコードが上部スラット群２４を支持する上部用ラダーコード２０と、下部スラット群２６を支持する下部用ラダーコード２２と、から構成され、上部スラット群２４及び下部スラット群２６のスラット角度が異なる角度をとり得るように、上部用ラダーコード２０の上端と下部用ラダーコード２２の上端がそれぞれ共通の回転軸１４に連結される。回転軸１４が回転駆動されると、ラダーコードを介してスラット角度が変化する。【選択図】  図６
2006283321.tif 000002
【特許請求の範囲】
【請求項１】
ヘッドボックス（１２）内に配置されると共に多数のスラット列を整列状態に支持するラダーコードの一端が連結される回転軸を回転駆動し、その回転軸の回転により前記ラダーコードを介してスラット角度を可変としたブラインドにおいて、
多数のスラット列が上部スラット群（２４）と下部スラット群（２６）とから構成され、
ラダーコードが上部スラット群（２４）を支持する上部用ラダーコード（２０）と、下部スラット群（２６）を支持する下部用ラダーコード（２２）と、から構成され、
上部スラット群（２４）及び下部スラット群（２６）のスラット角度が異なる角度をとり得るように、上部用ラダーコード（２０）の上端と下部用ラダーコード（２２）の上端がそれぞれ前記共通の回転軸（１４）に連結されることを特徴とするブラインド。
【請求項２】
前記回転軸（１４）上にはドラム（１８）が設けられ、ドラム（１８）上にはドラム（１８）の所定角度以下の回転時のみ一体回転し、所定角度以上の回転時にはドラム（１８）に対して空転するクラッチリング（３０、３２）が設けられ、上部用ラダーコード（２０）の上端と下部用ラダーコード（２２）の上端がそれぞれ異なるクラッチリング（３０、３２）に連結されることを特徴とする請求項１記載のブラインド。
【請求項３】
各ラダーコードの前後の垂直コード（２０ａ、２０ｂ、２２ａ、２２ｂ）のうち少なくとも一方側の上部用ラダーコードの一部と下部用ラダーコードの一部が連結されることを特徴とする請求項１または２記載のブラインド。
【請求項４】
各ラダーコードの前後の垂直コード（２０ａ、２０ｂ、２２ａ、２２ｂ）のうち一方側の上部用ラダーコードの下端と下部用ラダーコードの一部が連結され、他方側の上部用ラダーコードの下端と下部用ラダーコードとは連結されないことを特徴とする請求項１または２記載のブラインド。
【請求項５】
上部スラット群（２４）と下部スラット群（２６）とが同じ方向に傾斜したスラット角度をとるときに、前後の垂直コード（２０ａ、２０ｂ、２２ａ、２２ｂ）のうち相対的に下方に下降する方の垂直コードの上部用ラダーコードの下端と下部用ラダーコードとが連結されないことを特徴とする請求項４記載のブラインド。
【請求項６】
上部用ラダーコードと下部用ラダーコードとは、上部スラット群の最下段スラットと下部スラット群の最上段スラットとの間のピッチが、各ラダーコードで支持する上下のスラットのピッチと同一のピッチとなるように連結されることを特徴とする請求項３ないし５のいずれか１項に記載のブラインド。
【発明の詳細な説明】
【技術分野】
【０００１】
本発明は、多数のスラット列のうちの上部スラット群と下部スラット群とが異なるスラット角度をとることができるブラインドに関する。
【背景技術】
【０００２】
従来、この種のブラインドとしては、特許文献１に記載されたものが知られている。この文献に記載されたブラインドは、スラット駆動シャフトにこれと駆動結合下に第１のスラット旋回ドラムを備え、該ドラムの正、逆回転が所定角度に達するまでは静止し、所定角度到達以降は該ドラムと駆動結合される第２のスラット旋回ドラムを第１のスラット旋回ドラムに組み合わせ、ラダーコードの前行部及び後行部に沿って延び下端がボトムバーに固定され、且つラダーコードの前行部及び後行部と解除可能に結束される先動コードを設け、先動コードの上端側を第１のスラット旋回ドラムに、ラダーコードの上端側を第２のスラット旋回ドラムにそれぞれ固定している。
【０００３】
これによれば、スラット駆動シャフトを回転すると、第１のスラット旋回ドラムが回転し、先動コードの前行部及び後行部が上下に相対的に移動するので、先動コードと結束一体化された個所よりも下方のラダーコードが先動コードと一体的に移動して、該結合個所よりも下方のスラット群が旋回し、次いで、第２のスラット旋回ドラムが回転しはじめると、結合個所よりも上方のスラット群が旋回するようになっている。
【０００４】
【特許文献１】特公昭６３−５５５９５号公報
【発明の開示】
【発明が解決しようとする課題】
【０００５】
しかしながら、上記従来のブラインドでは、先動コードの前行部及び後行部がラダーコードの結合個所よりも下方の部分を先動コードと一体的に移動させる必要があるが、先動コードの相対的に上下に移動する前行部及び後行部のうちの上方に移動する方は、垂下されるラダーコードの前行部または後行部を上方に変位させることができるが、前行部及び後行部のうちの下方に移動する方は、垂下されるラダーコードの前行部または後行部を下方にそれ以上に変位させることができないので、結局のところ下方のスラット群を十分に回転させることができない、という問題がある。
【０００６】
本発明はかかる課題に鑑みなされたもので、上部スラット群と下部スラット群とが異なるスラット角度をとることができ、それぞれが確実に所望のスラット角度をとることができるブラインドを提供することをその目的とする。
【課題を解決するための手段】
【０００７】
前述した目的を達成するために、請求項１記載の発明は、ヘッドボックス内に配置されると共に多数のスラット列を整列状態に支持するラダーコードの一端が連結される回転軸を回転駆動し、その回転軸の回転により前記ラダーコードを介してスラット角度を可変としたブラインドにおいて、
多数のスラット列が上部スラット群と下部スラット群とから構成され、
ラダーコードが上部スラット群を支持する上部用ラダーコードと、下部スラット群を支持する下部用ラダーコードと、から構成され、
上部スラット群及び下部スラット群のスラット角度が異なる角度をとり得るように、上部用ラダーコードの上端と下部用ラダーコードの上端がそれぞれ前記共通の回転軸に連結されることを特徴とする。
【０００８】
請求項２記載の発明は、請求項１記載のものにおいて前記回転軸上にはドラムが設けられ、ドラム上にはドラムの所定角度以下の回転時のみ一体回転し、所定角度以上の回転時には空転するクラッチリングが設けられ、上部用ラダーコードの上端と下部用ラダーコードの上端がそれぞれ異なるクラッチリングに連結されることを特徴とする。
【０００９】
請求項３記載の発明は、請求項１または２記載の各ラダーコードの前後の垂直コードのうち少なくとも一方側の上部用ラダーコードの一部と下部用ラダーコードの一部が連結されることを特徴とする。
【００１０】
請求項４記載の発明は、請求項１または２記載の各ラダーコードの前後の垂直コードのうち一方側の上部用ラダーコードの下端と下部用ラダーコードの一部が連結され、他方側の上部用ラダーコードの下端と下部用ラダーコードとは連結されないことを特徴とする。
【００１１】
請求項５記載の発明は、請求項４記載の上部スラット群と下部スラット群とが同じ方向に傾斜したスラット角度をとるときに、前後の垂直コードのうち相対的に下方に下降する方の垂直コードの上部用ラダーコードの下端と下部用ラダーコードとが連結されないことを特徴とする。
【００１２】
請求項６記載の発明は、請求項３ないし５のいずれか１項に記載のものにおいて、上部用ラダーコードと下部用ラダーコードとは、上部スラット群の最下段スラットと下部スラット群の最上段スラットとの間のピッチが、各ラダーコードで支持する上下のスラットのピッチと同一のピッチとなるように連結されることを特徴とする。
【発明の効果】
【００１３】
本発明によれば、上部スラット群を支持する上部用ラダーコードと、下部スラット群を支持する下部用ラダーコードとをそれぞれ別々に設けているので、上部スラット群と下部スラット群とが異なるスラット角度となるように、確実に回転させることができる。こうして、上部スラット群と下部スラット群のうち一方を全閉として、他方を水平にしたり、いずれのスラット群も全閉にしたりと、部分的にスラットの回転の切り換えを行うことができる。
【００１４】
上部用ラダーコードと下部用ラダーコードはそれぞれ共通の回転軸に連結されており、即ち、回転軸を共通化しているために、部品点数を増加させることなく、上部スラット群と下部スラット群とが異なるスラット角度をとることができる。
【００１５】
請求項２記載の発明によれば、クラッチリングを用いることにより、回転軸を昇降コードの巻取り・巻解き軸として共用にした場合でも、スラットのスラット角度を変えずに、回転軸を複数回転させることができる。
【００１６】
請求項３記載の発明によれば、上部用ラダーコードに連結された下部用ラダーコードの一方の垂直コードが他方の垂直コードに対して相対的に下方へ変位したときに、その垂直コードが上部用ラダーコードの垂直コードを下方へ引っ張って上部スラット群の閉じる方向への回転を援助することができるので、上部スラット群を確実に全閉のスラット角度にすることができる。
【００１７】
請求項４記載の発明によれば、上部用ラダーコードに連結された下部用ラダーコードの一方の垂直コードが他方の垂直コードに対して相対的に下方へ変位したときに、その垂直コードが上部用ラダーコードの垂直コードを下方へ引っ張って上部スラット群の閉じる方向への回転を援助することができるので、上部スラット群を確実に全閉のスラット角度にすることができる。且つ、前後の垂直コードのいずれか他方は連結されていないために、該垂直コードによって上部スラット群の回転を阻害することを防ぐことができる。
【００１８】
請求項５記載の発明によれば、下部スラット群が傾斜したスラット角度をとるときには、下部用ラダーコードの前後の垂直コードの前後の間隔が狭くなり、上部スラット群の前後を押し付けるために、相対的に下方に変位する方の垂直コードが連結されていなくても、上部スラット群の傾斜を促進させることができる。
【００１９】
請求項６記載の発明によれば、上部スラット群と下部スラット群とを同じスラット角度にしたときに、ピッチが全体において均等であるために、全スラットが必ず同じスラット角度をとる通常のブラインドと同等の外観とすることができる。
【発明を実施するための最良の形態】
【００２０】
以下、図面を用いて本発明の実施の形態を説明する。
図１は本発明の実施形態にかかるブラインドの正面図、図２は側面図である。
図において、ブラインド１０は、壁面、窓枠等の固定部にブラケット１１によって取り付けられるヘッドボックス１２を有している。
【００２１】
ヘッドボックス１２内には、軸方向に伸びる回転軸１４が回転自在に支持されている。回転軸１４の一端部にはプーリが設けられ、該プーリに巻き掛けられた操作部１６がヘッドボックス１２から導出されている。操作部１６を操作することにより、回転軸１４が回転される。尚、この例では、手動によって回転軸１４が回転駆動されるようになっているが、電動によって回転軸１４を回転駆動させるようにしてもよい。
【００２２】
回転軸１４上には、その長手方向に適宜離間して、回転軸１４と一体的に回転するドラム１８が設けられる。ドラム１８はドラム受け１７に軸支されており、ドラム１８には以下で説明するように多数のスラット列を整列状態で支持するラダーコードの上端が連結される。
【００２３】
ラダーコードは、上部用ラダーコード２０と、下部用ラダーコード２２との別部品となった２種類のラダーコードから構成される。上部用ラダーコード２０は、ヘッドボックス１２から整列状態で配置されるスラット列のうちの上部スラット群２４を支持し、下部用ラダーコード２２は、スラット列のうちの下部スラット群２６を支持する。
【００２４】
図３及び図６−８に示したように、上部用ラダーコード２０と下部用ラダーコード２２は、それぞれドラム１８に対してクラッチリング３０、３２を介して連結される。クラッチリング３０、３２は、ドラム１８に並設されてドラム１８の周面に締結されており、その両端は折り返された折り返し部３０ａ、３０ａ、３２ａ、３２ａとなっている。
【００２５】
ヘッドボックス１２内には、クラッチリング３０、３２の折り返し部３０ａ、３２ａと干渉するストッパ３４が前側と後側とに設けられている。クラッチリング３０，３２は、折り返し部３０ａ、３２ａがいずれかのストッパ３４に当接すると弛緩し、よってドラム１８はクラッチリング３０、３２の内側で空転することができる。こうして、クラッチリング３０、３２は、ドラム１８と共に図５（ａ）に示す一対の折り返し部３０ａが前後対称に配置される中立位置から前側（図５（ｂ））及び後側（図５（ｃ））に所定角度の範囲で回転することができ、所定角度以上の回転時にはドラム１８に対して相対的に空転する。
【００２６】
図４は、説明のためにクラッチリング３０、３２を展開状態で表した上部用ラダーコード２０と下部用ラダーコード２２の配回しを表す図である。
【００２７】
クラッチリング３０の折り返し部３０ａ、３０ａに、上部用ラダーコード２０の前側垂直コード２０ａと後側垂直コード２０ｂの上端が固定され、クラッチリング３２の折り返し部３２ａ、３２ａに下部用ラダーコード２２の前側垂直コード２２ａと後側垂直コード２２ｂの上端が固定される。
【００２８】
そして、上部用ラダーコード２０の中段コード２０ｃに上部スラット群２４の各スラットが載置され、下部用ラダーコード２２の中段コード２２ｃに下部スラット群２６の各スラットが載置される。このため下部用ラダーコード２２の中段コード２２ｃは、前側垂直コード２２ａと後側垂直コード２２ｂの下部部分にのみ形成されている。下部用ラダーコード２２の前側垂直コード２２ａと後側垂直コード２２ｂの上部部分は適宜位置で、ブラインドを上昇させた時の弛み防止のために、上部用ラダーコード２０の中段コード２０ｃに絡められている。
【００２９】
上部用ラダーコード２０の前側垂直コード２０ａの下端は、下部用ラダーコード２２の前側垂直コード２２ａの上下方向の途中部分に連結具２８によって連結されており、上部用ラダーコード２０の後側垂直コード２０ｂの下端は、上部スラット群２４の最下段スラットの下方で下部用ラダーコード２２とは連結されておらず、自由端となっている。
【００３０】
下部用ラダーコード２２の前側垂直コード２２ａと後側垂直コード２２ｂの下端は、それぞれ下部スラット群２６の最下段スラットの下方に設けられるボトムレール３６に連結される。
【００３１】
ここで、クラッチリング３０、３２が中立位置にあるときに、上部用ラダーコード２０の中段コード２０ｃと下部用ラダーコード２２の中段コード２２ｃとは、異なる角度になるように設定されている。従って、中立位置で、上部スラット群２４と下部スラット群２６とは異なるスラット角度となっており、図示の例では、上部スラット群２４が水平に、下部スラット群２６が全閉状態となっている。
【００３２】
上部用ラダーコード２０の中段コード２０ｃと下部用ラダーコード２２の中段コード２２ｃとのピッチは同じであり、且つ、上部用ラダーコード２０の最下段の中段コード２０ｃと下部用ラダーコード２２の最上段の中段コード２２ｃの間のピッチも同じになるように、前記連結具２８によって連結位置が調整されている。
【００３３】
また、前記ドラム１８に一体回転可能に且つヘッドボックス１２の長手方向に移動可能に設けられて前記ドラム受け１７に螺合される巻取ドラム部１９には、昇降コード４０の上端が巻取り・巻解き可能に連結されており、昇降コード４０は、上部スラット群２４及び下部スラット群２６の各スラットを挿通して、その下端がボトムレール３６に連結される。
【００３４】
以上のように構成されるブラインド１０において、その動作を図５ないし図８を参照しながら説明する。尚、これらの図において、説明のためにスラットの数を減らして図示する。図５（ａ）及び図６に示す状態は、前述のクラッチリングの中立位置を表しており、この状態で、上部スラット群２４が水平に、下部スラット群２６が全閉状態となっている。よって、ブラインド１０が設定された開口の上部から採光を行なうと共に下部は遮蔽することができる。
【００３５】
この状態から操作部１６を操作することによって、回転軸１４を前側に回転すると、クラッチリング３０、３２の回転によって上部用ラダーコード２０の前側垂直コード２０ａと後側垂直コード２０ｂとの間で相対変位が起こり、同様に下部用ラダーコード２２の前側垂直コード２２ａと後側垂直コード２２ｂとの間で相対変位が起こり、上部スラット群２４及び下部スラット群２６が共に回転し、図５（ｂ）及び図７に示すように、上部スラット群２４が前側に傾斜して全閉状態となり、下部スラット群２６が水平となる。よって、ブラインド１０が設定された開口の上部を遮蔽し、下部からの採光、眺望を得ることができる。このとき、上部用ラダーコード２０及び下部用ラダーコード２２のそれぞれの前側垂直コード２０ａ、２２ａは後側垂直コード２０ｂ、２２ｂに対して相対的に下方に変位する。ボトムレール３６に取り付けられた前側垂直コード２２ａはボトムレール３６の傾斜に促進されて下降し、連結具２８によって連結された上部用ラダーコード２０の前側垂直コード２０ａも前側垂直コード２２ａに引っ張られて下降する。この作用により、下部スラット群２６のみならず上部スラット群２４も確実に回転し、全閉状態となることができる。
【００３６】
また、中立位置から操作部１６を操作することによって、回転軸１４を後側に回転すると、クラッチリング３０、３２の回転によって上部用ラダーコード２０の前側垂直コード２０ａと後側垂直コード２０ｂとの間で相対変位が起こり、下部用ラダーコード２２の前側垂直コード２２ａと後側垂直コード２２ｂとの間で相対変位が起こる。上部スラット群２４は回転するが、下部スラット群２６については、すでに最大限回転しているので回転は変化せず、後側垂直コード２２ｂが弛むだけとなる。図５（ｃ）及び図８に示すように、上部スラット群２４及び下部スラット群２６は共に全閉状態になる。こうして、上下部共に遮蔽することができるようになる。このとき、上部用ラダーコード２０及び下部用ラダーコード２２のそれぞれの後側垂直コード２０ｂ、２２ｂは前側垂直コード２０ａ、２２ａに対して相対的に下方に変位する。上部用ラダーコード２０の後側垂直コード２０ｂと下部用ラダーコード２２の後側垂直コード２２ｂは連結されていないが、下部スラット群２６が全閉状態であるということは、前側垂直コード２２ａと後側垂直コード２２ｂとの前後の幅が小さいということであり、これらが上部においても小さくなる方向に付勢されるので、上部スラット群２４の傾斜を促進させる。この作用により、下部スラット群２６のみならず上部スラット群２４も確実に回転し、全閉状態となることができる。
【００３７】
このとき、上部用ラダーコード２０の最下段の中段コード２０ｃと下部用ラダーコード２２の最上段の中段コード２２ｃとの間のピッチが他の部分のピッチと同じになるように、前記連結具２８によって連結位置が調整されているために、全体に亘りスラットのピッチが均等であり、全スラットが常に同じスラット角度をとる通常のブラインドと同等の外観とすることができる。
【００３８】
以上のように、同じ回転軸１４を用いて各スラット群２４、２６が確実に所望の角度をとることができ、図５（ａ）（ｂ）に示すように異なるスラット角度をとることができるようになり、図５（ｃ）に示すように同じスラット角度をとることもできる。所定角度回転すると弛緩して空転するクラッチリング３０、３２を用いているので、スラット角度を変えずに、昇降コード４０の巻取り・巻解きを行うべく回転軸１４を複数回転させることができる。
【００３９】
但し、昇降コード４０の昇降は、ドラムへの巻取り・巻解きによって行わずに、図９に示すコード式で行うことも可能である。図９では、昇降コード４０の上端側を、ヘッドボックス１２内に導入した後、ヘッドボックス１２の端部からさらに導出させて昇降用操作部４１としている。この場合に、上部用ラダーコード２０と下部用ラダーコード２２の上端が別々のドラムを介して回転軸１４に連結されているものの、スラット群２４、２６の回転は、同じ回転軸１４を用いて行うことができる。この場合、クラッチリングは省略することが可能であり、回転軸１４の回転範囲を前記所定角度範囲に規制するとよい。
【図面の簡単な説明】
【００４０】
【図１】本発明の実施形態にかかるブラインドの正面図である。
【図２】本発明の実施形態にかかるブラインドの側面図である。
【図３】図１の３−３線に沿って見た断面図である。
【図４】上部用及び下部用のクラッチリングを展開状態で表した上部用ラダーコードと下部用ラダーコードの配回しを表す説明図である。
【図５】クラッチリングとスラットとの関係を表す説明図である。
【図６】クラッチリングが中立位置にあるときの説明用斜視図である。
【図７】クラッチリングが前側に回転した状態の説明用斜視図である。
【図８】クラッチリングが後側に回転した状態の説明用斜視図である。
【図９】本発明の他の実施形態にかかるブラインドの正面図である。
【符号の説明】
【００４１】
１０  ブラインド
１２  ヘッドボックス
１４  回転軸
１８  ドラム
２０  上部用ラダーコード
２２  下部用ラダーコード
２０ａ  前側垂直コード
２０ｂ  後側垂直コード
２２ａ  前側垂直コード
２２ｂ  後側垂直コード
２４  上部スラット群
２６  下部スラット群
３０  クラッチリング
３２  クラッチリング
【図１】
2006283321.tif 000003
【図２】
2006283321.tif 000004
【図３】
2006283321.tif 000005
【図４】
2006283321.tif 000006
【図５】
2006283321.tif 000007
【図６】
2006283321.tif 000008
【図７】
2006283321.tif 000009
【図８】
2006283321.tif 000010
【図９】
2006283321.tif 000011